(57)【特許請求の範囲】
【請求項１】
容器本体と蓋体とからなる化粧料用容器における前記容器本体の上部に設けられる中蓋であって、底板部とつば部とを備え、前記底板部には前記容器本体内に連通するための開口部を形成するとともに、前記底板部の開口部縁にしごき部を設け、前記つば部において容器本体に取り付ける一方、前記しごき部は、前記底板部の開口部縁から底面が奥に向けて上昇するように延びる窪みからなることを特徴とする化粧料用容器の中蓋。
【発明の詳細な説明】
【技術分野】
【０００１】
本発明は、アイライナー、口紅、ファンデーションなど、粘性の高い液状、あるいは固形状（マッド状、ジェル状を含む）の各種化粧料を収容する容器に用いる中蓋に関し、特に、収容した化粧料を筆やブラシなどの筆状塗布具に付着させて化粧を行なう開口部の大きい化粧料用容器に用いる中蓋に関する。
【背景技術】
【０００２】
従来のこの種容器のうち、容器本体と蓋からなる一般的な開口部の大きい容器では、筆先に余分に付いた化粧料をしごき落としたり、筆先を整えるには、容器の開口部上縁や開口部内壁面を利用して行なっているのが一般的である。また、有底筒状の容器本体と、この容器本体本体内に収容する筆を一体形成した筆付き蓋とからなる開口部が小さい容器では、容器本体の開口部を閉塞するように筆の径より小さい口径を有する弾性材からなるしごき部を設け、このしごき部を筆が通る際に、余分な化粧料をしごき落とすよう構成している（特許文献１）。
【先行技術文献】
【特許文献】
【０００３】
【特許文献１】特開平０９−１０３３２２号公報
【発明の概要】
【発明が解決しようとする課題】
【０００４】
一般的な開口部の大きい容器では、容器開口部の上縁近傍にしごき落とした化粧料が付着して汚れてしまうという不都合がある。また、特許文献１で開示された容器では、しごき部を通して筆状塗布具の筆先を容器本体内に収容するには、硬い筆先でなければならず、筆先が柔らかくて、広がりやすい通常の筆状塗布具は使用不可能であるという不都合がある。本発明は、このような不都合を解消した、筆先が柔らかくて、広がりやすい通常の筆状塗布具を使用可能な開口部の大きい化粧料用容器に適用する中蓋を提供することを目的とする。
【課題を解決するための手段】
【０００５】
この目的を達成するため本発明の請求項１に係る化粧料用容器の中蓋は、容器本体と蓋体とからなる化粧料用容器における前記容器本体の上部に設けられる中蓋であって、底板部とつば部とを備え、前記底板部には前記容器本体内に連通するための開口部を形成するとともに、前記底板部の開口部縁にしごき部を設け、前記つば部において前記容器本体に取り付けられる一方、前記しごき部は、前記開口部縁から底面が奥に向けて上昇するように延びる窪みからなるものである。
【発明の効果】
【０００７】
本発明に係る化粧料用容器の中蓋によれば、従来使用している開口部の大きい容器と同様の容器に適用できて、容器本体の開口上縁の近傍を汚すことなく、筆先に付着した余分な化粧料をしごき落とすことができるとともに、筆先を整えて、所望の化粧をすることができるという効果を奏する。
【図面の簡単な説明】
【０００８】
【図１】本発明の第１の実施形態に係る中蓋を示す斜視図。
【図２】中蓋を容器本体に設けた状態を示す部分断面図。
【図３】本発明の第２の実施形態に係る中蓋を示す斜視図。
【発明を実施するための形態】
【０００９】
以下、本発明の好適な第１の実施形態を添付図面に基づき説明する。図１に示すように、化粧料用容器の中蓋１は、全体が円板状で、底板部２とこの底板部２の周囲に断面Ｌ字状に立ち上がった環状つば部３とからなる。前記底板部２にはほぼ２／３を占める開口部４を設けるとともに、しごき部６を設けている。このしごき部６は、前記開口部４に沿って凹入するように湾曲する開口部縁５のほぼ中央部分から底面が奥に向けて上昇するように延びる窪みで構成している。
【００１０】
上述の中蓋１は、容器本体１１とこの容器本体１１の開口上面を閉塞すべく前記容器本体１１の上部に脱着可能に螺合する蓋体１２とからなる化粧料用容器１０に、環状つば部３において取り付けて使用される。前記容器本体１１は、化粧料収容部１３を備え、上部周壁１４の外周面には雄螺旋１５が形成され、上部周壁１４より大径の下部周壁１６の下端内周面には底板１７が固定されている。一方、前記蓋体１２の周壁１８の内周面には、前記雄螺旋１５と螺合する雌螺旋１９が形成されている。また、前記蓋体１２の天板２０の内面にはパッキン２１が固着されている。
【００１１】
中蓋１は、容器本体１１の内面側上端部に設けた環状段部２２に環状つば部３の水平部３ａを載置し、環状凸部２３で前記水平部３ａの上面を押さえるようにして、前記環状つば部３の水平部３ａを前記環状段部２２と前記環状凸部２３で形成される環状凹入溝に嵌合して取り付けている。そして、前記嵌合状態は緊密ではなく、前記中蓋１は容器本体１１に対して、回転可能となっている。
【００１２】
本実施形態は以上のように構成したので、蓋体１２を外した容器本体１１の化粧料収容部１３に収容した適宜な化粧料（図示せず）を、中蓋１の開口部４から挿入した筆状塗布具の筆先（図示せず）に付着させて、従来の筆状塗布具と同様にして化粧をすることができる。この際、前記筆状塗布具の筆先をしごき部６の縁でしごくことにより、筆先を整えるとともに、筆先に付着した余分の化粧料をしごき落とすことができるので、所望の化粧をすることができる。そして、しごき落とした化粧料は、しごき部６の底面の傾斜に導かれて、化粧料収容部１３に落下し、再収容される。
【００１３】
また、化粧料が固形状の場合には、使用に応じて開口部４に対応する部分は減っていくが、底板部２に対応する部分は筆先が届きにくいので、減りが少なく、残りやすい。ここで、中蓋１は容器本体１１に対して回転可能であるから、開口部４を化粧料が残っている部分に対応させるよう回転することによって、化粧料を最後まで容易に使い切ることができる。
【００１４】
続いて、図３に基づいて、中蓋の第２の実施形態を説明する。この実施形態では、中蓋３１は、全体が円板状で、傾斜した底板部３２とこの底板部３２の周囲に断面Ｌ字状に立ち上がった環状つば部３３とからなる。前記底板部３２には傾斜で下降した側にほぼ１／２を占める開口部３４を設けるとともに、しごき部３６を設けている。このしごき部３６は、前記開口部３４に沿って凹入するように湾曲する開口部縁３５のほぼ中央部分から底面が奥に向けて上昇するように延びる窪みで構成している。
【００１５】
環状つば部３３の立ち上がり部３３ｂは、底板部３２の傾斜が下がるにつれて長くなっていくが、開口部３４に対応する部分では最短部と同一長になるよう切り欠かれている。そして、前記環状つば部３３の水平部３３ａにおいて、第１の実施形態と同様にして、容器本体に取り付けられる（図２参照）。
【００１６】
上述のように、第２の実施形態では、底板部３２が傾斜して、その下降端側に開口部３４が設けられているので、しごき部３６で筆先を整えることはもちろん、底板部３２の開口部縁３５で筆先を整えても、しごき落とされた余分な化粧料は前記底板部３２の傾斜によってその開口部縁３５から容器本体の化粧料収容部に落下し、再収容される。
【００１７】
なお、本発明は、上述の各実施形態に限定されるものではなく、例えば底板部２，３２の開口部縁５，２５は、凹入状ではなく、反対に凸出状、あるいは直状であってもよい。また、しごき部６，３６を形成する窪みの形状も図示のものに限定されない。またさらに、つば部３，３３は、容器本体１１に取り付けうる形状であればよく、必ずしも環状である必要はない。
【符号の説明】
【００１８】
１，３１      中蓋
２，３２      底板部
３，３３      環状つば部
３ａ，３３ａ      水平部
４，３４      開口部
５，３５      開口部縁
６，３６      しごき部
１０      化粧料用容器
１１      容器本体
１２      蓋体
１３      収容部
２２      環状段部
２３      環状凸部
３３ｂ      立ち上がり部
【図１】
0005518451.tif 000002
【図２】
0005518451.tif 000003
【図３】
0005518451.tif 000004